(57)【要約】【課題】              容器の内容物が空気に晒されると変質する恐れがある場合、開口側首部を小径にして空気と内容物との接触面積を小さくして小型のキャップを装着すると、十分な係止力を得られないキャップ天板部と容器開口部との間に隙間が生じ、完全な密封性が得られなくなる課題があるのみならず、開閉操作に力が掛かり着脱が面倒になる課題があった。【解決手段】          容器首部１０の容器肩部側首部１４に内外径共に開口側首部１３より大きいキャップ係止首部３０を設けて大型のキャップを装着可能にした容器。【選択図】              図１
2008013192.tif 000002
【特許請求の範囲】
【請求項１】
容器首部の容器肩部側首部に内外径共に開口側首部より大きいキャップ係止首部を設けてなる容器。
【請求項２】
請求項１に記載の容器において、キャップ係止首部に押出柔軟性を付与してなる容器。
【請求項３】
請求項１又は２に記載の容器において、キャップ係止首部に押出復帰弾力性を付与してなる容器。
【請求項４】
請求項１、２又は３に記載の容器において、キャップ係止首部がねじ止め構造からなる容器。
【請求項５】
請求項４に記載の容器において、ねじ止め構造がキャップの９０度以内の回転ねじ止め構造からなる容器。
【請求項６】
請求項４又は５に記載の容器において、ねじ止め構造が多条ねじ止め構造からなる容器。
【請求項７】
請求項１乃至６のいずれかに記載の容器において、容器首部のキャップ係止首部に逆回転を解除自在に止めるストッパを設けてなる容器。
【請求項８】
請求項７に記載の容器において、ストッパがクリックストップ式からなる容器。
【請求項９】
請求項１、２又は３のいずれかに記載の容器において、キャップ係止首部が、押し込み掛止構造からなる容器。
【請求項１０】
請求項９に記載の容器において、押し込み掛止構造が、大径首部に係止段部を設けてなり、押し込みによってキャップスカート部に設けた係止突起が前記係止段部に係合してキャップの装着が完了するように構成してなる容器。
【請求項１１】
請求項１０に記載の容器において、係止段部を大径首部と容器肩部との間の首部の径を小径にすることによって設けてなる容器。
【請求項１２】
請求項９、１０又は１１に記載の容器において、押し込み掛止構造がクリックストップ式からなる容器。
【請求項１３】
請求項１乃至１２のいずれかに記載の容器において、容器首部の開口側首部とキャップ係止首部との境界部分にキャップ密着弾力構造を設けてなる容器。
【請求項１４】
請求項１３に記載の容器において、キャップ密着弾力構造がくの字状の断面からなる容器。
【請求項１５】
請求項１３又は１４に記載の容器において、キャップ密着弾力構造を開口の口径以上の内径に設けてなる容器。
【請求項１６】
請求項１３、１４又は１５に記載の容器において、キャップ密着弾力構造が開口側首部とキャップ係止首部とを連結する連結枠部からなる容器。
【請求項１７】
請求項１６に記載の容器において、連結枠部が皿形状からなる容器。
【請求項１８】
請求項１６に記載の容器において、連結枠部がくの字状の断面からなる容器。
【請求項１９】
請求項１８に記載の容器において、連結枠部が２段以上のくの字状の断面からなる容器。
【請求項２０】
請求項１乃至１９のいずれかに記載の容器において、首部の開口天部に天板部を密着させてキャップを被嵌してなる容器。
【請求項２１】
請求項２０に記載の容器において、容器の開口天部にシールを当接し、シールに天板部を密着させてキャップを被嵌してなる容器。
【請求項２２】
請求項１乃至２１のいずれかに記載の容器において、容器首部をプラスチックの中空成形加工により成形してなる容器。
【請求項２３】
請求項１乃至２１に記載の容器において、容器が絞り出し容器からなる容器。
【発明の詳細な説明】
【技術分野】
【０００１】
本発明は、首部に開口側首部より大きいキャップ係止首部を設けてなる容器に関する。
【背景技術】
【０００２】
容器の内容物が空気に晒されると変質する恐れがある場合、開口側首部を小径にして空気と内容物との接触面積を小さくしてキャップを装着していた。
【発明の開示】
【発明が解決しようとする課題】
【０００３】
しかし、容器の小径の開口側首部に合わせて小径な首部にキャップ係止首部を設けて小型のキャップを装着すると、十分な係止力を得られないキャップ天板部と容器開口部との間に隙間が生じ、完全な密封性が得られなくなる課題があるのみならず、開閉操作に力が掛かり着脱が面倒になる課題があった。
また、小径の開口側首部に外径の大きなキャップを装着するものが提案されているが、キャップ係止首部分が開口側首部と同様に小径では、強力な係止力を得られない課題があると共に、容器肩部にキャップ係止首部を設けるには首部に対してキャップが肩部まで及び大型になる課題があった。
【課題を解決するための手段】
【０００４】
そこで、本発明は、請求項１に記載のように、容器首部の容器肩部側首部に内外径共に開口側首部より大きいキャップ係止首部を設けてなる容器を提供するものである。
【０００５】
また、本発明は、請求項２に記載のように、請求項１に記載の容器において、キャップ係止首部に押出柔軟性を付与してなる容器を提供するものである。
【０００６】
また、本発明は、請求項３に記載のように、請求項１又は２に記載の容器において、キャップ係止首部に押出復帰弾力性を付与してなる容器を提供するものである。
【０００７】
また、本発明は、請求項４に記載のように、請求項１、２又は３に記載の容器において、キャップ係止首部がねじ止め構造からなる容器を提供するものである。
【０００８】
また、本発明は、請求項５に記載のように、請求項４に記載の容器において、ねじ止め構造がキャップの９０度以内の回転ねじ止め構造からなる容器を提供するものである。
【０００９】
また、本発明は、請求項６に記載のように、請求項４又は５に記載の容器において、ねじ止め構造が多条ねじ止め構造からなる容器を提供するものである。
【００１０】
また、本発明は、請求項７に記載のように、請求項１乃至６のいずれかに記載の容器において、容器首部のキャップ係止首部に逆回転を解除自在に止めるストッパを設けてなる容器を提供するものである。
【００１１】
また、本発明は、請求項８に記載のように、請求項７に記載の容器において、ストッパがクリックストップ式からなる容器を提供するものである。
【００１２】
また、本発明は、請求項９に記載のように、請求項１、２又は３のいずれかに記載の容器において、キャップ係止首部が、押し込み掛止構造からなる容器を提供するものである。
【００１３】
また、本発明は、請求項１０に記載のように、請求項９に記載の容器において、押し込み掛止構造が、大径首部に係止段部を設けてなり、押し込みによってキャップスカート部に設けた係止突起が前記係止段部に係合してキャップの装着が完了するように構成してなる容器を提供するものである。
【００１４】
また、本発明は、請求項１１に記載のように、請求項１０に記載の容器において、係止段部を大径首部と容器肩部との間の首部の径を小径にすることによって設けてなる容器を提供するものである。
【００１５】
また、本発明は、請求項１２に記載のように、請求項９、１０又は１１に記載の容器において、押し込み掛止構造がクリックストップ式からなる容器を提供するものである。
【００１６】
また、本発明は、請求項１３に記載のように、請求項１乃至１２のいずれかに記載の容器において、容器首部の開口側首部とキャップ係止首部との境界部分にキャップ密着弾力構造を設けてなる容器を提供するものである。
【００１７】
また、本発明は、請求項１４に記載のように、請求項１３に記載の容器において、キャップ密着弾力構造がくの字状の断面からなる容器を提供するものである。
【００１８】
また、本発明は、請求項１５に記載のように、請求項１３又は１４に記載の容器において、キャップ密着弾力構造を開口の口径以上の内径に設けてなる容器を提供するものである。
【００１９】
また、本発明は、請求項１６に記載のように、請求項１３、１４又は１５に記載の容器において、キャップ密着弾力構造が開口側首部とキャップ係止首部とを連結する連結枠部からなる容器を提供するものである。
【００２０】
また、本発明は、請求項１７に記載のように、請求項１６に記載の容器において、連結枠部が皿形状からなる容器を提供するものである。
【００２１】
また、本発明は、請求項１８に記載のように、請求項１６に記載の容器において、連結枠部がくの字状の断面からなる容器を提供するものである。
【００２２】
また、本発明は、請求項１９に記載のように、請求項１８に記載の容器において、連結枠部が２段のくの字状の断面からなる容器を提供するものである。
【００２３】
また、本発明は、請求項２０に記載のように、請求項１乃至１９のいずれかに記載の容器において、首部の開口天部に天板部を密着させてキャップを被嵌してなる容器を提供するものである。
【００２４】
また、本発明は、請求項２１に記載のように、請求項２０に記載の容器において、容器の開口天部にシールを当接し、シールに天板部を密着させてキャップを被嵌してなる容器を提供するものである。
【００２５】
また、本発明は、請求項２２に記載のように、請求項１乃至２１のいずれかに記載の容器において、容器首部をプラスチックの中空成形加工により成形してなる容器を提供するものである。
【００２６】
また、本発明は、請求項２３に記載のように、請求項１乃至２１に記載の容器において、容器が絞り出し容器からなる容器を提供するものである。
【発明の効果】
【００２７】
本発明に係る容器は、容器首部の容器肩部側首部に内外径共に開口側首部より大きいキャップ係止首部を設けてなる構成を有することにより、大型のキャップを使用でき、太いキャップ係止首部により強力なキャップ係止力を得ることができる効果があると共に、首部内に大量の内容物を収容することができる効果がある。
【００２８】
また、本発明は、請求項２に記載のように、請求項１に記載の容器において、キャップ係止首部に押出柔軟性を付与してなる構成を有することにより、首部内に大量に収容した内容物を押出して注出して使用することができる効果がある。
【００２９】
また、本発明は、請求項３に記載のように、請求項１又は２に記載の容器において、キャップ係止首部に押出復帰弾力性を付与してなる構成を有することにより、首部内に大量に収容した内容物を押出して注出することができると共に、押出後に復帰弾力により直ちに復帰するから、キャップを直ちに装着することができる効果がある。
【００３０】
また、本発明は、請求項４に記載のように、請求項１、２又は３に記載の容器において、キャップ係止首部がねじ止め構造からなる構成を有することにより、キャップのねじ止め回転角度を小さく設定しても強力なねじ止め力を得ることができる効果がある。
【００３１】
また、本発明は、請求項５に記載のように、請求項４に記載の容器において、ねじ止め構造がキャップの９０度以内の回転ねじ止め構造からなる構成を有することにより、使用時にキャップを９０度以内の僅かな回転角度で着脱することができる効果がある。
【００３２】
また、本発明は、請求項６に記載のように、請求項４又は５に記載の容器において、ねじ止め構造が多条ねじ止め構造からなる構成を有することにより、ねじ止め回転角度を小さく設定しても多数個所に配置した多条ねじ部により強固に確実に固定することができる効果がある。
【００３３】
また、本発明は、請求項７に記載のように、請求項１乃至６のいずれかに記載の容器において、容器首部のキャップ係止首部に逆回転を解除自在に止めるストッパを設けてなる構成を有することにより、ストッパによってキャップの固定を確実にすることができる効果がある。
【００３４】
また、本発明は、請求項８に記載のように、請求項７に記載の容器において、ストッパがクリックストップ式からなる構成を有することにより、キャップをクリック感を伴って固定することができる効果がある。
【００３５】
また、本発明は、請求項９に記載のように、請求項１、２又は３のいずれかに記載の容器において、キャップ係止首部が、押し込み掛止構造からなる構成を有することにより、キャップを回転することなく押し込みによってワンタッチで簡単に係止することができる効果がある。
【００３６】
また、本発明は、請求項１０に記載のように、請求項９に記載の容器において、押し込み掛止構造が、大径首部に係止段部を設けてなり、押し込みによってキャップスカート部に設けた係止突起が前記係止段部に係合してキャップの装着が完了するように構成してなる構成を有することにより、大径首部に大型の係止段部を設けることができ、キャップの係止突起を強力に確実に係止することができる効果がある。
【００３７】
また、本発明は、請求項１１に記載のように、請求項１０に記載の容器において、係止段部を大径首部と容器肩部との間の首部の径を小径にすることによって設けてなる構成を有することにより、容器首部の開口部との容器肩部との間に大径首部を設けるだけで係止段部を構成することができると共に、係止段部を環状に設けることによってキャップの係止突起との係合角度位置を自由に設定することができる効果がある。
【００３８】
また、本発明は、請求項１２に記載のように、請求項９、１０又は１１に記載の容器において、押し込み掛止構造がクリックストップ式からなる構成を有することにより、キャップをクリック感を伴ってワンタッチで固定することができる効果がある。
【００３９】
また、本発明は、請求項１３に記載のように、請求項１乃至１２のいずれかに記載の容器において、容器首部の開口側首部とキャップ係止首部との境界部分にキャップ密着弾力構造を設けてなる構成を有することにより、首部に垂直方向の力が加わるとキャップ密着弾力をが生じるから、容器の首部開口に平板状の蓋体を圧着してキャップ密着弾力により首部開口を確実に密封することができると共に、使用者が購入した容器の首部開口から中栓やシール材を除去してからキャップを装着する場合、中栓やシール材の厚み分によって生じるキャップ天板部と首部開口との隙間をキャップ密着弾力により無くすことができる効果があり、特に、キャップを回転することなく押し込みだけで装着する構造のものや、僅かな回転数で装着する構造のものにあっては、密着弾力によって密封性と共に十分な締め付け力を得られ、液漏れ等を防止でき、安心して使用することができる効果がある。
【００４０】
また、本発明は、請求項１４に記載のように、請求項１３に記載の容器において、キャップ密着弾力構造がくの字状の断面からなる構成を有することにより、容器首部のくの字状断面の僅かな伸縮によって容易にキャップ密着弾力構造を構成することができると共に、キャップ密着弾力構造を容器首部の内径を狭めることなく開口の口径以上の内径に設けることができる効果がある。
【００４１】
また、本発明は、請求項１５に記載のように、請求項１３又は１４に記載の容器において、キャップ密着弾力構造を開口の口径以上の内径に設けてなる構成を有することにより、キャップ密着弾力構造が容器開口より細い絞り構造を容器首部に付加しないから、内容物の円滑な注出を可能にすると共に、容器底部方向から容器内開口のシール材の貼付状態を検査するのを可能にする効果がある。
【００４２】
また、本発明は、請求項１６に記載のように、請求項１３、１４又は１５に記載の容器において、キャップ密着弾力構造が開口側首部とキャップ係止首部とを連結する連結枠部からなる構成を有することにより、開口側首部とキャップ係止首部とを連結する連結枠部によってキャップ密着弾力構造を形成することができる効果がある。
【００４３】
また、本発明は、請求項１７に記載のように、請求項１６に記載の容器において、連結枠部が皿形状からなる構成を有することにより、皿形状の連結枠部のたわみによってキャップ密着弾力構造を構成することができる効果がある。
【００４４】
また、本発明は、請求項１８に記載のように、請求項１６に記載の容器において、連結枠部がくの字状の断面からなる構成を有することにより、くの字状断面の伸縮によって容易にキャップ密着弾力構造を構成することができると共に、キャップ密着弾力構造を容器首部の内径を狭めることなく開口の口径以上の内径に容易に設けることができる効果がある。
【００４５】
また、本発明は、請求項１９に記載のように、請求項１８に記載の容器において、連結枠部が２段のくの字状の断面からなる構成を有することにより、くの字状断面の伸縮を容易にしたキャップ密着弾力構造を構成することができると共に、キャップ密着弾力構造を容器首部の内径を狭めることなく開口の口径以上の内径に設けることができる効果がある。
【００４６】
また、本発明は、請求項２０に記載のように、請求項１乃至１９のいずれかに記載の容器において、首部の開口天部に天板部を密着させてキャップを被嵌してなる構成を有することにより、キャップを被嵌するとキャップ天板部が首部の開口天部にキャップ密着弾力を維持して密着するから、中栓やシール材を除去してからキャップを装着する場合に、シール材等の隙間を埋めて密封性が得られる効果がある。
【００４７】
また、本発明は、請求項２１に記載のように、請求項２０に記載の容器において、容器の開口天部にシールを当接し、シールに天板部を密着させてキャップを被嵌してなる構成を有することにより、キャップ密着弾力によってキャップ天板部が開口天部上のシール材に密着するから、キャップ上からのシール材の開口天部への熱溶着による貼付作業を確実にすることができる効果がある。
【００４８】
また、本発明は、請求項２２に記載のように、請求項１乃至２１のいずれかに記載の容器において、容器首部をプラスチックの中空成形加工により成形してなる構成を有することにより、容器をプラスチックの中空成形により容易に成形加工することができる効果がある。
【００４９】
また、本発明は、請求項２３に記載のように、請求項１乃至２２に記載の容器において、容器が絞り出し容器からなる構成を有することにより、内外径共に開口側首部より大きいキャップ係止首部まで内容物を収容して押し出して使用することができる効果がある。
【発明を実施するための最良の形態】
【００５０】
以下図示する実施例により本発明の実施の形態を説明する。
【実施例１】
【００５１】
図１乃至図５に示す実施例において、本発明に係る容器本体１は、容器首部１０の容器肩部側首部１４に内外径共に開口側首部１３より大きいキャップ係止首部３０を設けてなる構成を有することにより、把持が容易な大型のキャップを使用でき、太いキャップ係止首部３０により強力なキャップ係止力を得ることができる効果があると共に、首部内に大量の内容物を収容することができる効果がある。
【００５２】
また、本発明は、キャップ係止首部３０に押出柔軟性を付与してなる構成を有することにより、首部内に大量に収容した内容物を押出して注出して使用することができる効果がある。
また、本発明は、キャップ係止首部３０に押出復帰弾力性を付与してなる構成を有することにより、首部内に大量に収容した内容物を押出して注出することができると共に、押出後に復帰弾力により直ちに復帰するから、キャップを直ちに装着することができる効果がある。
【実施例２】
【００５３】
図示の実施例の場合、前記キャップ係止首部３０は、この容器首部１０の開口側首部１３より大径に構成した容器肩側首部１４に設けてある。
太首部の外径は、細首部の外径に対して太ければそれだけ大きいキャップ係止首部３０を設けることができ、それだけ大きな係止効果が期待できる。
太首部の外径は、細首部の外径に対して、ほぼ１．２倍以上、好ましくは、１．６〜２．４倍程度が通常のキャップでは適当であるが、特殊な容器やキャップではそれ以下或いはそれ以上であっても良い。
【００５４】
図示の実施例の場合、キャップ係止首部３０は、ねじ止め構造からなり、ぼぼ９０度以内の回転でキャップの装着が完了するように、９０度以内の間隔で４条の大ピッチの雄ねじ３１が重ならないように設けてある。キャップには、図では省略したが、この雄ねじ３１にそれぞれ螺合する４条の雌ねじが設けてあり、ワンタッチに近い感覚でキャップをねじ込み装着することができるように構成してある。
【００５５】
実施例によっては、雄ねじ３１が柔軟な弾性体からなる場合、キャップを押し込むだけで、キャップの雌ねじが雄ねじ３１を乗り越えて嵌着し係合するように構成することが可能であり、その後、ねじ込み方向に回転力を加えるだけで強固な締め付けが可能になる。
【実施例３】
【００５６】
また、容器首部１０のキャップ係止首部３０には、逆回転を阻止するストッパ３２を設けて、ストッパ３２によって装着したキャップの固定を確実にするように構成してある。
図示の実施例の場合、ストッパ３２は前記開口側首部１３よりの境界部分２３上に９０度間隔で４個所に設けてあり、図では省略したキャップ側のストッパが装着完了時にストッパ３２を乗り越えて係合し、キャップの逆転を阻止するように構成してある。
また、本発明の実施例においては、ストッパ３２が弾性変形を伴って係合し、その弾力開放による係合によりクリックストップ式に係合する構成からなり、キャップをクリック感を伴って固定することができる。
【実施例４】
【００５７】
また、図示しない他の実施例の場合、キャップ係止首部３０は、押し込み掛止構造からなり、キャップ係止首部３０と容器肩側首部１４との間に係止段部３３を設けて、押し込みによってキャップスカート部に設けた係止突起が係止段部３３に係合してキャップの装着が完了するように構成することができる。
そして、容器側の係止段部３３又はキャップ側の係止突起を柔軟な弾性体から構成して、押し込み操作によりクリックストップ式にキャップを装着し、容器使用後はキャップを引っ張るだけで、キャップの係止突起が係止段部３３を乗り越えて離脱するように構成することが可能である。
【００５８】
また、本発明の実施例の場合、容器のキャップ係止首部３０を含めて、容器全体に相当するプラスチックのチューブ状のパリソンを外型内に導入して、外型を閉じて底部を挟着し、首部開口１２側から圧縮空気を送り込む従来周知の中空成形加工により、ほぼ同一肉厚に成形することができ、容器をプラスチックの中空成形により容易に成形加工することができる。
また、本発明の実施例の場合、容器が絞り出し容器からなる構成を有することにより、容器開口１２の太首部１４にまで大量に内容物を充填することができるのみならず、押しつぶした容器胴部が復帰しようとしても内容物の詰まった太首のキャップ係止首部で密封して容器内に空気が流入するのを阻止することができる。
【実施例５】
【００５９】
また、図１乃至図５に示す実施例によれば、本発明に係る容器本体１は、首部１０の開口側首部１３とキャップ係止首部３０との境界部分にキャップ密着弾力構造２０を設けてなる構成を有する。
キャップ密着弾力構造２０は、キャップに密着した首部１０に垂直方向の力が加わるとキャップ密着弾力を維持して垂直方向の伸縮を可能にする構造を有する。
従って、容器本体１の首部開口天面１１に平板状の蓋体を圧着してキャップ密着弾力により首部開口１２を確実に密封することができる。
【００６０】
その結果、使用者が購入した中栓やシール材を有する容器本体１から中栓やシール材を除去してキャップを装着したとしても、中栓やシール材の厚み分が無くなることにより生じるキャップ天板部と首部開口天面１１との隙間分を、キャップ密着弾力構造２０が伸縮を伴って弾性変形して無くすことができ、キャップによる密封性が維持される。
【００６１】
特に、キャップを回転することなく押し込みだけで装着する構造のものや、僅かな回転数で装着する構造のものにあっては、キャップ密着弾力構造２０により十分な装着力を伴って容器開口の密封力を得られ、液漏れ等を防止でき、安心して使用することができることとなる。
【００６２】
また、本発明は、容器首部１０の開口天面１１とキャップ係止首部３０との間にキャップ密着弾力構造２０を設けてなる構成を有することとなり、開口天面１１にキャップ天板部を当接させてキャップを係止することにより、その間にあるキャップ密着弾力構造２０の弾発力によってキャップの密封性を得ることができる。
【実施例６】
【００６３】
また、本発明の実施例において、容器開口天面１１にシール材を貼着した容器の製作中において、容器本体１の開口天面１１にシール材を当接し、シール材に天板部を密着させてキャップを被嵌すると、キャップ密着弾力によってキャップ天板部が開口天面１１上のシール材に密着するから、キャップ上からのシール材の開口天面１１への熱溶着による貼付作業を確実にすることができる。
【実施例７】
【００６４】
また、図示の実施例の場合、本発明の容器本体１において、キャップ密着弾力構造２０は、開口側から順番に外側に山状に突出する小さいくの字状の断面部分２１と大きいくの字状の断面部分２２と、平面状又は緩い傾斜面状の境界部分２３からなる構成を有する。
また、このキャップ密着弾力構造２０は、開口側から順番に内側に谷状に突出する小さいくの字状の断面部分２４と大きいくの字状の断面部分２５とからなり、断面部分２４は先の断面部分２１の下片部分と断面部分２２の上片部分とからなり、断面部分２５は先の断面部分２２の下片部分と境界部分２３とからなる。
【００６５】
なお、キャップ密着弾力構造２０の谷状断面部分２４，２５を開口１２の口径以上の内径に設けることによって、キャップ密着弾力構造２０が容器開口１２より細い絞り構造を容器首部１０に付加しないから、内容物の円滑な注出を可能にすると共に、製作時に容器胴部方向から容器内開口１２のシール材の貼付状態を検査するのを容易にすることができる。
【００６６】
図示の実施例の場合、キャップ密着弾力構造２０の実質的なキャップ密着弾力は、山状の大きなくの字状の断面部分２２の伸縮性に負うところが大であり、小さいくの字状の断面部分２１は、首部１０を覆うキャップの内筒部分と当接してキャップ天板部の開口天面１１との密封性を補助する機能を主として有すると共に、境界部分２３はキャップ密着弾力構造２０の断面部分２２とキャップ係止首部３０とを接続する境界部分としての機能を主として有するものである。
【実施例８】
【００６７】
従って、キャップ密着弾力構造２０は、実施例のように２個連続するものではなく、一個のくの字状の断面部分２１又は２２を設けてある実施例で良く、この場合は、境界部分２３も不要である。
なお、キャップ密着弾力構造２０として、くの字状の断面部分２１、２２、２４又は２５は、折り畳み式の蛇腹構造とは全く異なり、いずれも垂直方向にキャップ密着弾力を維持して弾性復帰可能に僅かに変形して伸縮する構造である。
【実施例９】
【００６８】
図６及び図７に記載の実施例の場合、密着弾力構造２０は、外側に突出して三個の小さいくの字状の断面部分２１と一個の大きいくの字状断面２２、内側に突出して三個の小さいくの字状の断面部分２４と一個の大きいくの字状断面部分２５を設けてあり、境界部分２３を介して太首のキャップ係止部３０に連結しており、密着弾力構造２０として、くの字状の断面部分２１、２２、２４又は２５は、いずれも垂直方向に直立弾力を維持して弾性復帰可能に変形して伸縮する構造である。
【実施例１０】
【００６９】
図８及び図９に記載の実施例の場合、密着弾力構造２０は、外側に突出する二個の小さいくの字状の断面部分２１と三個の大きいくの字状断面２２、及び、内側に突出して二個の小さいくの字状の断面部分２４と三個の大きいくの字状断面部分２５を設けてあり、境界部分２３を介して太首のキャップ係止部３０に連結しており、密着弾力構造２０として、くの字状の断面部分２１、２２、２４又は２５は、垂直方向に直立弾力を維持して弾性復帰可能に変形して伸縮する構造である。
【実施例１１】
【００７０】
図１０及び図１１に記載の実施例の場合、密着弾力構造２０は、外側に突出して一個の小さいくの字状の断面部分２１と二個の大きいくの字状断面２２、内側に突出して一個の小さいくの字状の断面部分２４と二個の大きいくの字状断面部分２５を設けてあり、境界部分２３を介して太首のキャップ係止部３０に連結しており、密着弾力構造２０として、くの字状の断面部分２１、２２、２４又は２５は、いずれも垂直方向に直立弾力を維持して弾性復帰可能に変形して伸縮する構造である。
【実施例１２】
【００７１】
図１２及び図１３に記載の実施例の場合、密着弾力構造２０は、外側に突出して二個の小さいくの字状の断面部分２１と二個の大きいくの字状断面２２、内側に突出して二個の小さいくの字状の断面部分２４と二個の大きいくの字状断面部分２５を設けてあり、境界部分２３を介して太首のキャップ係止部３０に連結しており、密着弾力構造２０として、くの字状の断面部分２１、２２、２４又は２５は、いずれも垂直方向に直立弾力を維持して弾性復帰可能に変形して伸縮する構造である。
【実施例１３】
【００７２】
また、密着弾力構造２０は、上記実施例のようにくの字状の断面部分２１、２２、２４又は２５を設けることなく、小径の開口側首部１３と大径の容器肩側首部１４を接続する平面状又は緩い傾斜面状の境界部分２３だけの実施例でも良い。なお、緩い傾斜面の場合は、例えば、皿状の緩い傾斜面では、図示のように傾斜が下向きであれば水平面状の場合より弾性変形強度が強く、傾斜が上向きの場合であれば水平面状の場合より弾性変形強度が弱く設定することができる。
【００７３】
図示の実施例の場合、プラスチックの中空成形加工により、ほぼ同一肉厚の容器首部１０の開口側首部１３に対して容器肩部側首部１４を太く成形してあり、その連結枠部に密着弾力構造２０を設けてなる構成を有する。従って、前記実施例の密着弾力構造２０を構成するくの字状の断面部分２１、２２、２４又は２５、或いは境界部分２３は本発明に係る連結枠部を構成している。
【実施例１４】
【００７４】
図１４乃至図１６は、キャップ４０の一実施例を示し、比較的硬質なプラスチックの射出成形加工により一体に製作され、スカート部４１の内側に、４８個の係合歯４２を円周状に設けてある。４３は係合歯４２の直上に設けたほぼ９０度の回転で螺合可能な４条の雌ネジ部であり、４４は天板部、４５は天板部４４の中央からスカート部４１と同心円筒的に４条の雌ネジ部４３の直上まで設けた下方の開いた首部内キャップ部である。
【００７５】
首部内キャップ部４５は、細首状の容器首部１０を上半分部で覆う上円筒部４８と、やや太首状のくの字状断面部分２１，２２に相対する切欠部４６を設けた下円筒部４９を具備し、下円筒部４９の下端部内側に設けた掛止片部４７が切欠部４６により弾性的にクリック感を伴って容器１の大径のくの字状断面部２２に弾性的に嵌着するように構成してある。
【実施例１５】
【００７６】
また、図１７乃至図２０はチューブ容器１の一実施例を示し、比較的軟質なプラスチックのブロー成形加工により製作される押出チューブ容器で、容器肩部３５に９個の係止歯３４を等間隔に一体に設けてある。３１は首太の首部に設けた４条の雄ネジ部で、先のキャップ４０の４条の雌ネジ部４３と螺合するように設けてある。１３は細首状の開口側首部で、開口側首部１３と４条の雄ネジ部３１との間に、キャップ装着時に天板部４４と当接して開口部１１に圧着するように垂直方向に弾性変形可能なくの字状断面部分２１，２２を設けてある。先のキャップ４０の首部内キャップ部４５はくの字状断面部２１，２２を含めて開口側首部１３に嵌着するように設けてある。このチューブ容器１は内容物が見える透明なプラスチック素材で成形することが好ましく、４条の雄ネジ部３１を設けた太首部まで内容物を収容し、使用時には太首部まで押圧して内容物を絞り出すことができる。
図２０は、キャップ４０の係合歯４２と容器１の係止歯３４の係合状態を示す要部の概略拡大図である。
【図面の簡単な説明】
【００７７】
【図１】本発明容器の一実施例の正面図
【図２】その側面図。
【図３】その平面図。
【図４】その底面図。
【図５】その要部の中央縦断面図。
【図６】本発明容器の他の一実施例の正面図。
【図７】図６のＡ−Ａ線拡大端面図
【図８】本発明容器の他の一実施例の正面図。
【図９】図８のＡ−Ａ線拡大端面図
【図１０】本発明容器の他の一実施例の正面図。
【図１１】図１０のＡ−Ａ線拡大端面図
【図１２】本発明容器の他の一実施例の正面図。
【図１３】図１２のＡ−Ａ線拡大端面図
【図１４】本発明キャップの一実施例の正面図。
【図１５】その底面図
【図１６】その正面図中央縦断面図。
【図１７】本発明容器の他の実施例の要部の拡大正面図
【図１８】その平面図。
【図１９】その一使用態様図。
【図２０】その要部の拡大説明図。
【符号の説明】
【００７８】
１      容器本体
１０    首部
１１    首部開口天面
１２    首部開口
１３    開口側首部
１４    容器肩側首部
２０    直立弾力構造
２１、２２  くの字状断面部分
２３    境界部分
２４、２５  くの字状断面部分
３０    キャップ係止首部
３１    雄ネジ部
３２    ストッパ
３３    係止段部
３４    係止歯
３５    容器肩部
４０    キャップ
４１    スカート部
４２    係合歯
４３    雌ネジ部
４４    天板部
４５    首部内キャップ部
４６    切欠部
４７    掛止片部
４８    上円筒部
４９    下円筒部
【図１】
2008013192.tif 000003
【図２】
2008013192.tif 000004
【図３】
2008013192.tif 000005
【図４】
2008013192.tif 000006
【図５】
2008013192.tif 000007
【図６】
2008013192.tif 000008
【図７】
2008013192.tif 000009
【図８】
2008013192.tif 000010
【図９】
2008013192.tif 000011
【図１０】
2008013192.tif 000012
【図１１】
2008013192.tif 000013
【図１２】
2008013192.tif 000014
【図１３】
2008013192.tif 000015
【図１４】
2008013192.tif 000016
【図１５】
2008013192.tif 000017
【図１６】
2008013192.tif 000018
【図１７】
2008013192.tif 000019
【図１８】
2008013192.tif 000020
【図１９】
2008013192.tif 000021
【図２０】
2008013192.tif 000022